(57)【要約】【目的】従来の着衣型保持装置の長所を変えずに、衝突事故の激しさや子供の体の向き等にも係りなく体の骨盤を確実に保持することができる着衣型保持装置を提供することを目的とする。【解決手段】着衣型保持装置１の着衣２を、少なくとも前身頃３と後身頃４とから形成し、その着衣２の後身頃４側に、肩部２２と着用者の骨盤に対応する骨盤部２３を止着点２１ａ／２１ｂに、後身頃４との間に車輌に備えるシートベルト１０を通過可能にした縦ベルト５を左右一対に設ける。そして、衝突事故が発生して着衣２の縦ベルト５がシートベルト１０ａ／１０ｂによって支持されると、左右の縦ベルト５はそれぞれが接近する方向に移動されると共に止着点２１ｂも縦ベルト５と同方向に引寄せられる。これによって、止着点２１ｂが位置する着衣２の骨盤部２３が骨盤方向に締まり、この動きによって骨盤部２３および前身頃３側の腰廻りが締まって体の骨盤が保持される。【選択図】　図１
2004043986.tif 000002
【特許請求の範囲】
【請求項１】
少なくとも前身頃と後身頃とからなる着衣であって、着衣の背部に、肩部と着用者の骨盤に対応する部位を止着点とし、後身頃との間に車輌に備えるシートベルトを通過可能にした縦ベルトが設けられていることを特徴とする着衣型保持装置
【請求項２】
前記縦ベルトが左右一対で設けられていることを特徴とする請求項１の着衣型保持装置
【請求項３】
縦ベルトの止着点に補強部材が装着されていることを特徴とする請求項１の着衣型保持装置
【請求項４】
前記補強部材のうちで、着用者の骨盤に対応する部位の止着点に装着されている補強部材が、前身頃および後身頃に一体的に装着された水平ベルトであることを特徴とする請求項１の着衣型保持装置
【請求項５】
左右一対で設けられている縦ベルト間にブリッジが架設されていることを特徴とする請求項２の着衣型保持装置
【請求項６】
前記ブリッジが水平方向に架設された水平ベルトであることを特徴とする請求項５の着衣型保持装置
【請求項７】
前記ブリッジが斜め方向に架設されたＸ字状のクロスベルトであることを特徴とする請求項５の着衣型保持装置
【請求項８】
前記ブリッジが布地であることを特徴とする請求項５の着衣型保持装置
【発明の詳細な説明】
【０００１】
【産業上の利用分野】
本発明は、車輌に備えるシートベルトと共に使用されて、衝突事故の衝撃から身体を保護するための着衣型保持装置に関するものである。
【０００２】
【従来技術と問題点】
現在、車輌に６歳以下の子供を乗車させる際は、保持装置によって子供を座席にホールドしている。その保持装置は、バケットや座席等の形状の収容体に子供を収容し、その収容体に備えるベルトで子供をホールドするチャイルドシート型保持装置と、前身頃と重ね身頃を設けた後身頃とからなる着衣を子供に着せ、その着衣の後身頃と重ね身頃の間に車輌に備えるシートベルトを通して、子供を着衣と共にシートベルトでホールドする着衣型保持装置等が用いられている。
【０００３】
その着衣型保持装置は、チャイルドシート型保持装置の拘束的な保持形態と違い活発に動き廻る幼児期の子供が着用することが考慮されて、着用した子供に束縛感を与えないようにと、後身頃と重ね身頃の間に挿通した車輌のシートベルトが適度にその間を左右へ動くことができるようになっている。これにより、子供は、体をシートの上で適当な範囲で左右に振り動かせることができ、保持装置の着用によって生ずる体の疲れを取ることができる。
また、着衣は、子供に着せた時点で腰廻りや胸廻りのだぶつき調整等の装着時調節が行われて、衝突事故の発生時にもしっかりと身体を拘束できるようになっているが、装着時のベルトの締め付けが多少緩かったり、着座位置が適当でなかったり、装着後の子供の動きなどで多少のだぶつきが生じていることがある。
【０００４】
しかし、着衣は、子供に着せた時点で腰廻り等のだぶ付き調節等の装着時調節が行われているとはいえ、激しい衝突事故となった場合や、子供が体を左右に振り動かした時、また、車輌が何らかの原因で横滑りしたことによって子供の体が左右に振られた時に衝突事故が発生した場合は、その装着時調節だけではカバーできずに骨盤の保持が甘く不安定となることもあった。
従って、前方飛出しを阻止するため確実に保持拘束しなければならない身体部位（骨盤部）の確保が不充分となったり、そのために、子供の腹部や脇腹に損傷を及ぼす危険があった。
【０００５】
【目的】
本発明は上述した問題点に鑑みてなされたもので、従来の着衣型保持装置の長所を変えずに、衝突事故の激しさや子供の体の向き等にも係わりなく身体の骨盤を確実に保持することができる着衣型保持装置を提供することを目的とするものである。
【０００６】
【問題を解決するための手段】
本発明の要旨とするところは、少なくとも前身頃と後身頃とからなる着衣であって、着衣の背部に、肩部と着用者の骨盤に対応する部位を止着点とし、後身頃との間に車輌に備えるシートベルトを通過可能にした縦ベルトが設けられていることを特徴とする着衣型保持装置である。
【０００７】
本発明の着衣型保持装置を詳しく説明すると、その着衣は、具体的には前身頃と後身頃を有するもので、ファスナー／ボタン／ベロクロファスナー等によって前開きするチョッキあるいは前開きしないベストの形態である。体の胸側となるのが前身頃で、背側となるのが後身頃である。
また、特に前開きするものはその部分を補強すめるための補助ベルトを設けたり、さらには、着衣に股を保持する股ベルトを前身頃側と後身頃側に架設してもよい。着衣全体の形態としては、袖身頃の付いたブルゾンタイプや脚部が付設されたつなぎ服タイプ等にしてもよい。
【０００８】
その着衣の背部には、少なくとも２点で止着された縦ベルトが設けられ、その縦ベルトは、後身頃との間に車輌に備えるシートベルトを通すことができるように取り付けられている。その縦ベルトを止着する部位は、着衣の肩部と着用者の骨盤に対応する部位となる。
縦ベルトは、切断等の破損に耐え得る強度を有する素材、例えば、ナイロン等からなるものを用いなければならない。勿論、強度を有する素材であってベルトとして使用できるものであれば何でもよい。そして、縦ベルトに着衣の肩部のぶか付きを調節できるように適宜の調節具を設けてもよい。
【０００９】
また、縦ベルトは上述の肩部と着用者の骨盤に対応する部位に止着されるが、その止着点に加えてそれら止着点間の適宜の部位、例えば、背部の中程の部位を後身頃に止着するようにしてもよい。その縦ベルトの止着方法また止着形態等も特に限定するものではなく、確実に固定可能であればどのような方法また形態であってもよい。具体的な方法としては、適宜の糸を用いて縫製によって固定したり、溶着やリベット等によって固定してもよい。
また、縦ベルトの設置数も１本の「ハの字」幅広ベルトまたは左右一対の２本又はそれ以上であってもよい。
【００１０】
前述の肩部とは、人体の一般的に肩と呼ばれる範囲の全ての部分を指し、一地点に限定されるものではなくその範囲の適宜の部位に止着すればよい。具体的には、衣服の後身頃の上方位置や前身頃の上方位置、また、後身頃と前身頃の両方に架かる上方位置等である。
また、着用者の骨盤に対応する部位とは、人体の骨盤を外部より確認可能な範囲の全ての部分を指し、一地点に限定されるものではなくその範囲の適宜の部位に止着すればよい。具体的には、衣服の後身頃の前身頃寄りの下方位置や前身頃の後身頃寄りの下方位置、そして、後身頃と前身頃の両方に架かる下方位置である。すなわち、体の脇に当たる位置であり着衣では略脇部となる。
【００１１】
そして、縦ベルトの止着点に適宜の補強部材を装着してもよい。例えば、縦ベルトと同一の素材やその素材と同等またはそれ以上の強度を有する樹脂や金属等の素材から形成してもよい。それを補強に適する形状に適宜に形成して用いればよく、その形状も特に限定するものではない。
また、補強部材は、止着点とほぼ同一の範囲において取り付けてもよいが、その範囲を大きく超えて着衣の他の部位まで延ばして設けてもよい。
特に、着用者の骨盤に対応する部位の止着点に装着する補強部材は、前身頃および後身頃にかけて且つ一体的に着衣に装着し、止着点を周回するように設けてもよい。すなわち、水平ベルトとして止着点を周回するように設けてもよい。そして、水平ベルトは腰廻りのぶか付きを調節できるように適宜の調節具を設けてもよい。
【００１２】
縦ベルトが左右一対で設けられている場合、左右縦ベルトのそれぞれが外方に移動しないように、また、左右それぞれが勝手な動きをしないように、その左右縦ベルト間に適宜のブリッジを架設してもよい。
そのブリッジの素材や形態等も特に限定するものではなく、左右縦ベルトの動きを所望の範囲で制約することができればどのような素材を用いて形成したり、また、どのような形態で架設してもよい。具体的には、縦ベルトと同一素材または異素材からなる水平方向に架設した水平ベルト、または、縦ベルトと同一素材または異素材からなる斜め方向に架設したＸ字状のクロスベルト等であり、それらのベルト幅は特に限定するものではない。そして、ブリッジを適宜の形状の布地を用いて形成してもよい。
【００１３】
【作用】
本発明の着衣型保持装置は以上のように構成されているので、子供の車輌乗車に際しては、先ず着衣を子供に着用させると共に装着調節を適宜に行ってその子供を車輌のシートに着座させる。
次に、着衣の縦ベルトと後身頃との間に車輌に備えるシートベルトを通し、シートベルトに備えられるスライド可能に保持された係止金具を、シートまたは車輌本体に固定されたメス金具に止着する。これにより、子供は着衣に保持されると共に車輌のシートベルトによってシートにセットされる。
【００１４】
そして、車輌に衝突事故が発生した場合、子供は前方に飛出そうとするが、シートベルトの繰り出しがロックされて、シートベルトによって着衣が支持されると共に着衣によって子供が保持され、その子供の前方飛出しが阻止される。
その時、シートベルトによる着衣の支持点は、背部の縦ベルトの止着点間のいずれかの位置になる。しかして、その縦ベルトの一方が着用者の骨盤に対応する位置に、他方が肩部に止着されているので、支持点は、その骨盤に対応する位置と肩部の位置ともなる。
【００１５】
従って、子供と共に前方へ飛出す着衣は、車輌のシートベルトによって前述の骨盤に対応する位置すなわち着衣の脇部と肩部の位置とで支持される。
その支持の動きは、シートベルトが前方に飛出そうとする縦ベルトを支持することにより、縦ベルトは着衣の後身頃の中央に寄せられる。特に、骨盤に対応する体の脇部での支持の動きは、縦ベルトが着衣の後身頃の中央に寄せられることによって縦ベルトの止着点も着衣の後身頃の中央に寄せられ、これにより、止着点が位置する着衣の脇部が骨盤方向に締まり、この動きによって着衣の脇部および前身頃側の腰廻りが締まって体の骨盤が保持される。
また、その動きは瞬時であり且つシートベルトのロックと共に自動的に開始される。
【００１６】
【実施例】
本発明の着衣型保持装置を以下図面に従って説明すると、図１は、本発明に係わる着衣型保持装置の背面図であり、１は着衣型保持装置で、２は着衣型保持装置１の本体となる着衣である。
２１ａ／２１ｂは着衣２に固定される縦ベルト５の止着点、２２は着衣２の肩部で、２３は骨盤部、２４は首開口、２５は腕開口、２６は腰開口である。２７は着衣２の前身頃３を開閉するためのファスナーである。
４は着衣２の後身頃、５は車輌のシートベルト１０ａ／１０ｂと係着する左右一対に設けられた縦ベルト、５１は肩部２２のぶか付きを調節するための調節具である。
６は水平ベルトで、この水平ベルト６は縦ベルト５を固定する下方の止着点２１ｂを通って着衣２に周回条に設けられている。７はブリッジで、左右の水平ベルト６に接続されている。８は着用者の脚部を保持するための股ベルトである。
【００１７】
図２は、着衣型保持装置の前面図であり、１は着衣型保持装置で、２は着衣型保持装置１の本体となる着衣、２２は着衣２の肩部で、２３は骨盤部、２４は首開口、２５は腕開口、２６は腰開口である。２７は着衣２の前身頃３を開閉するためのファスナーである。
３は着衣２の前身頃、５は縦ベルトで、本例では前身頃３の胸部まで延設しそこから水平に補助ベルト９を設けて、ファスナー２７の補強としてもよい。９１は胸部のぶか付きを調節するための調節具である。
６は水平ベルトで、着衣２に周回状に設けられている。６１は腰廻りのぶか付きを調節するための調節具、８は股ベルト、８１は着脱用のバックルである。
【００１８】
図３は、着衣型保持装置の側面図であり、縦ベルト５の止着点２１ｂは前身頃３と後身頃４との境界近傍に止着する。
本図では、止着点２１ｂおよび水平ベルト６は着衣２の下端の位置であり、この位置が着用者の骨盤に対応する位置である。しかして、止着点２１ｂおよび水平ベルト６をこの着用者の骨盤に対応する位置に合わせるようにすれば、着衣２の前身頃３また後身頃４はこの位置よりさらに下方に延ばして形成してもよい。
【００１９】
図４は、クロスベルトからなるブリッジの着衣型保持装置の背面図である。　図５は、布地からなるブリッジの着衣型保持装置の背面図である。
【００２０】
図６は、車輌のシートベルトに係着された状態の着衣型保持装置の背面図であり、シートベルト１０ａ／１０ｂは、後身頃４と左右の縦ベルト５との間を通過してセットされる。図７は、車輌のシートベルトに係着された状態の着衣型保持装置の側面図である。
【００２１】
図８は、本着衣型保持装置の腰廻りの動きを示す平面図であり、（ａ）図は、車輌走行時の着衣型保持装置の状態を示し、（ｂ）図は、衝突事故発生時の着衣型保持装置の状態を示す。本図は、着衣型保持装置１の本体である着衣２の水平ベルト６と縦ベルト５の止着点２１ｂそれとシートベルト１０ｂの動きを説明する。
車輌が走行している時は（ａ）図に示すように、着衣２の水平ベルト６が位置する部位は、着衣型保持装置１の本体である着衣２を子供に着用させた時点で装着調節されたままの状態であり、また、シートベルト１０ｂは、縦ベルト５の止着点２１ｂ近傍を通過してセットされている。
【００２２】
そして、衝突事故が発生した場合は（ｂ）図に示すように、衝突によって着用者が前方に飛出すと、その阻止のためシートベルト１０ｂがロックされて縦ベルト５を支持する。これにより、左右の縦ベルト５はそれぞれが接近する方向に移動されると共に止着点２１ｂも縦ベルト５と同方向に引寄せられる。
これによって、止着点２１ｂが位置する着衣２の骨盤部２３が骨盤方向に締まり、この動きによって骨盤部２３および前身頃３側の腰廻りが締まって体の骨盤が保持される。
【００２３】
【効果】
本発明の着衣型保持装置は以上のように構成されているので、従来の着衣型保持装置の長所、すなわち、子供が体をシートの上で適当な範囲で左右に振り動かすことで、保持装置の着用によって生ずる体の疲れを取ることができるといった長所を変えることなく、子供の体の向きに係りなく体の骨盤を確実に保持することができる。
【００２４】
その骨盤の確保は、衝突による衝撃で子供が前方へ飛出したと同時に、瞬時に且つ自動的に開始されるので、着衣型保持装置を子供に装着させた時の腰廻りのだぶ付き調節が甘かった場合であっても、子供が体を振って体の向きが正面からずれていた場合であっても、子供の体が着衣からずれてしまう前に体の骨盤を保持することができる。
【００２５】
骨盤の確保は、車輌に備えるシートベルトを使用する大人の場合であっても、骨盤にシートベルトを掛けるようにと指示されているので、本着衣型保持装置を使用することにより、子供に大人と同等の安全性を提供することができるものである。
【図面の簡単な説明】
【図１】本発明に係わる着衣型保持装置の背面図
【図２】着衣型保持装置の前面図
【図３】着衣型保持装置の側面図
【図４】クロスベルトからなるブリッジの着衣型保持装置の背面図
【図５】布地からなるブリッジの着衣型保持装置の背面図
【図６】車輌のシートベルトに係着された状態の着衣型保持装置の背面図
【図７】車輌のシートベルトに係着された状態の着衣型保持装置の側面図
【図８】本着衣型保持装置の腰廻りの動きを示す平面図
【符号の説明】
１−着衣型保持装置，２−着衣，２１ａ／２１ｂ−止着点，２２−肩部，２３−骨盤部，２４−首開口，２５−腕開口，２６−腰開口，２７−ファスナー，３−前身頃，４−後身頃，５−縦ベルト，５１−調節具，６−水平ベルト，６１−調節具，７−ブリッジ，８−股ベルト，８１−バックル，９−補助ベルト，９１−調節具，１０ａ／１０ｂ−シートベルト，１１−胴体
【図１】
2004043986.tif 000003
【図２】
2004043986.tif 000004
【図３】
2004043986.tif 000005
【図４】
2004043986.tif 000006
【図５】
2004043986.tif 000007
【図６】
2004043986.tif 000008
【図７】
2004043986.tif 000009
【図８】
2004043986.tif 000010